(57)【特許請求の範囲】
【請求項１】
取付けブラケット２０に下支承体２１を設けた建物側金具１６ａと、取付けブラケット３０に上支承体３１を設けた扉側金具１６ｂを備え、
前記上支承体３１は、前記取付けブラケット３０の支承体取付部３３に設けられ、下面にねじ穴３８が形成された軸３５と、上ねじ部３６ａを有した回転子３６を有し、この軸３５のねじ穴３８に回転子３６の上ねじ部３６ａが螺合して連結され、その回転子３６を軸３５に対して回転することで、回転子３６と軸３５が上下方向に相対的に移動する形状で、
前記下支承体２１の上部と回転子３６を回転自在に嵌合して建物側金具１６ａと扉側金具１６ｂを回動自在に連結し、
前記軸３５の下面と回転子３６の上面との間の隙間にスペーサ４４を設けるようにしたことを特徴とするヒンジ装置。
【発明の詳細な説明】
【０００１】
【発明の属する技術分野】
本発明は、建物の出入口に扉を閉じ位置と開き位置に亘って回動自在に取付けると共に、その扉の重量を支えるヒンジ装置に関する。
【０００２】
【従来の技術】
特許第２７６７３９４号公報に示すヒンジ装置が提案されている。
このヒンジ装置は図６に示すように、扉１の下部に取付ける第１ヒンジ本体２と、取付枠３の下部に取付ける第２ヒンジ本体４と、ピボット５を備え、このピボット５の下部を第２ヒンジ本体４に螺合してロックナット６でロックし、前記ピボット５の上部を第１ヒンジ本体２に軸受７で回動自在に支承したものである。
【０００３】
前述のヒンジ装置は、ロックナット６を弛めてピボット５の鍔部８にスパナを係合させてピボット５を回転することでピボット５が第２ヒンジ本体４に対して上下に移動し、それによって第１ヒンジ本体２が第２ヒンジ本体４に対して上下に移動する。
これによって、扉１が上下に移動するので、扉１の高さを調整できる。
【０００４】
【発明が解決しようとする課題】
前述のヒンジ装置は第１ヒンジ本体２がピボット５に対して回動するので、回動支点が第１ヒンジ本体２側（つまり、ヒンジ装置の上部寄り）であり、扉１が不安定である。
しかも、扉１の高さを高くすれば回動支点も高くなり、扉１がより不安定である。
【０００５】
そこで、本発明は前述の課題を解決できるようにしたヒンジ装置を提供することを目的とする。
【０００６】
【課題を解決するための手段】
本発明は、取付けブラケット２０に下支承体２１を設けた建物側金具１６ａと、取付けブラケット３０に上支承体３１を設けた扉側金具１６ｂを備え、
前記上支承体３１は、前記取付けブラケット３０の支承体取付部３３に設けられ、下面にねじ穴３８が形成された軸３５と、上ねじ部３６ａを有した回転子３６を有し、この軸３５のねじ穴３８に回転子３６の上ねじ部３６ａが螺合して連結され、その回転子３６を軸３５に対して回転することで、回転子３６と軸３５が上下方向に相対的に移動する形状で、
前記下支承体２１の上部と回転子３６を回転自在に嵌合して建物側金具１６ａと扉側金具１６ｂを回動自在に連結し、
前記軸３５の下面と回転子３６の上面との間の隙間にスペーサ４４を設けるようにしたことを特徴とするヒンジ装置である。
【０００７】
【作用】
本発明によれば、下支承体２１の上部と上支承体３１の回転子３６を回動自在に嵌合したので、建物側金具１６ａと扉側金具１６ｂの回動支点が上下中間部である。
回転子３６を一方向に回転して上ねじ部３６ａを軸３５のねじ穴３８に対して一方向に回転することで、回転子３６に対して軸３５を上方に移動し、軸３５の下面と回転子３６の上面との間の隙間を大きくし、その隙間にスペーサ４４を設け、前記回転子３６を他方向に回転して上ねじ部３６ａを軸３５のねじ穴３８に対して他方向に回転することで、スペーサ４４を介して回転子３６の上面を軸３５の下面に締付け固定することで、高さ調整できる。
前述のように高さ調整しても回転子３６の上下方向位置は一定で、前記回動支点の上下方向位置は一定である。
このようであるから、扉を安定して回動自在に支えることができる。
【０００８】
【発明の実施の形態】
図１に示すように、建物の開口部１０に枠体１１が取付けられ、この枠体１１が建物の出入口を形成している。
前記枠体１１は上枠１２と下枠１３と左右の縦枠１４で方形状で、この枠体１１に扉１５が、下ヒンジ装置１６と上ヒンジ装置１７で閉じ位置と開き位置に亘って前後方向（見込み方向）に回動自在に取付けてある。
前記下ヒンジ装置１６は一方の縦枠１４の下部寄りと扉１５の下部寄りに亘って取付けてある。
上記上ヒンジ装置１７は一方の縦枠１４の上部寄りと扉１５の上部寄りに亘って取付けてある。
【０００９】
前記下ヒンジ装置１６は図２に示すように、縦枠１４の下部寄りに取付ける建物側金具１６ａと、図３に示すように扉１５の端面１５ａにおける下部寄りに取付ける扉側金具１６ｂを備えている。
前記建物側金具１６ａは取付けブラケット２０と、この取付けブラケット２０に設けた下支承体２１を有する。
前記取付ブラケット２０は縦板状の取付部２２と平面矩形状の支承体取付部２３を有する。その支承体取付部２３の前後方向に対向した第１縦片２３ａと第２縦片２３ｂに孔２４が相対向して形成してある。
前記下支承体２１は下ねじ部２１ａと中間角軸部２１ｂと中間鍔部２１ｃと上円形軸部２１ｄを有する形状で、その中間角軸部２１ｂに前後方向に向うねじ孔２５を形成してある。
【００１０】
図４に示すように、下支承体２１の中間角軸部２１ｂが支承体取付部２３に前後摺動自在に嵌挿して下ねじ部２１ａが下方に突出し、その下ねじ部２１ａに固定ナット２６を螺合して下プレート２７と中間鍔部２１ｃの下面を支承体取付部２３の下面２３ｃ、上面２３ｄに押しつけて下支承体２１を取付けている。
第１ねじ２８を孔２４よりねじ孔２５に螺合してスナップリング２９で抜け止めして軸方向に移動しないようにする。
【００１１】
このようであるから、固定ナット２６を弛めて第１ねじ２８を回転することで下支承体２１が支承体取付部２３に対して前後方向（見込み方向）に移動する。
【００１２】
前記扉側金具１６ｂは図３に示すように取付ブラケット３０と上支承体３１を有する。
前記取付用ブラケット３０は縦板状の取付部３２と平面矩形状の支承体取付部３３を有する。その支承体取付部３３の左右方向に対向した第１縦片３３ａと第２縦片３３ｂに孔３４が相対向して形成してある。
前記上支承体３１は軸３５と回転子３６を有する。その軸３５は上ねじ部３５ａと中間角軸部３５ｂと下鍔部３５ｃを有する形状で、その中間角軸部３５ｂに左右方向に向うねじ孔３７が形成してあると共に、下端面にねじ穴３８が形成してある。
前記回転子３６は上ねじ部３６ａと下筒状部３６ｂを有する。
【００１３】
図４に示すように、回転子３６の上ねじ部３６ａが軸３５のねじ穴３８に螺合して下筒状部３６ｂの上面が下鍔部３５ｃの下面に接して軸３５と回転子３６が連結される。上支承体３１の軸３５の中間角軸部３５ｂが支承体取付部３３に左右摺動自在に嵌挿して上ねじ部３５ａが上方に突出し、その上ねじ部３５ａに固定ナット３９を螺合して上プレート４０と下鍔部３５ｃの上面を支承体取付部３３の上面３３ｃ、下面３３ｄに押しつけて上支承体３１を取付けている。
第２ねじ４１を孔３４よりねじ孔３７に螺合してスナップリング４２で抜け止めして左右方向に移動しないようにする。
【００１４】
このようであるから、固定ナット３９を弛めて第２ねじ４１を回転することで上支承体３１が支承体取付部３３に対して左右方向に相対移動する。
前記下支承体２１の上円形軸部２１ｄが回転子３６の下筒状部３６ｂに回転自在に嵌合し、その下筒状部３６ｂの下面が軸受部材、例えばナイロン製のワッシャ４３を介して下支承体２１の中間鍔部２１ｃの上面に接する。
【００１５】
これによって、建物側金具１６ａと扉側金具１６ｂが回動自在に連結されると共に、扉側金具１６ｂに作用する扉重量を建物側金物１６ａで支える。
また、第１ねじ２８を回転することで扉１５が前後方向に移動し、第２ねじ４１を回転することで扉１５が左右方向に移動するので、扉１５の建付け調整できる。
【００１６】
次に高さ調整について説明する。
図４に示す状態から回転子３６を一方向に回転することで軸３５が上方に移動し、その軸３５とともに取付用ブラケット３０が上方に移動するので、扉側金具１６ｂが建物側金具１６ａに対して上方に移動する。
これにより、扉１５が上方に移動する。
前述の状態で図５に示すように、回転子３６の下筒状部３６ｂの上面と軸３５の下鍔部３５ｃの下面との間の隙間に高さ調整用のスペーサ４４を挿入し、回転子３６を他方向に回転して軸３５に締付け固定する。
【００１７】
前述のようにして高さ調整しても回転子３６の上下方向位置は一定であり、建物側金具１６ａと扉側金具１６ｂの回動支点（下支承体２１の上円形軸部２１ｄと回転子３６の嵌合部分）の上下方向位置は一定である。
しかも、前述の回動支点は建物側金具１６ａと扉側金具１６ｂの上下方向中間部であるので、扉を安定して回動自在に支えることができる。
【００１８】
前記軸受部材をワッシャ４３としたが、ベアリングとしても良い。
前記回転子３６にねじ穴を形成し、軸３５に下ねじ部を形成し、その下ねじ部をねじ穴に螺合して軸３５と回転子３６を螺合連結しても良い。
また、第１ねじ２８を左右方向に向けて下支承体２１を左右方向に移動し、第２ねじ４１を前後方向に向けて上支承体３１を前後方向に移動しても良い。
また、下支承体２１、上支承体３１を移動しないように固定又は一体的としても良い。
【００１９】
【発明の効果】
請求項１に係る発明によれば、下支承体２１の上部と上支承体３１の回転子３６を回動自在に嵌合したので、建物側金具１６ａと扉側金具１６ｂの回動支点が上下中間部である。
回転子３６を一方向に回転して上ねじ部３６ａを軸３５のねじ穴３８に対して一方向に回転することで、回転子３６に対して軸３５を上方に移動し、軸３５の下面と回転子３６の上面との間の隙間を大きくし、その隙間にスペーサ４４を設け、前記回転子３６を他方向に回転して上ねじ部３６ａを軸３５のねじ穴３８に対して他方向に回転することで、スペーサ４４を介して回転子３６の上面を軸３５の下面に締付け固定することで、高さ調整できる。
前述のように高さ調整しても回転子３６の上下方向位置は一定で、前記回動支点の上下方向位置は一定である。
このようであるから、扉を安定して回動自在に支えることができる。
【図面の簡単な説明】
【図１】扉取付け状態の外観図である。
【図２】下ヒンジの建物側金具の分解斜視図である。
【図３】下ヒンジの扉側金具の分解斜視図である。
【図４】下ヒンジの縦断面図である。
【図５】高さ調整した状態の縦断面図である。
【図６】従来のヒンジ装置の断面図である。
【符号の説明】
１６ａ…建物側金具、１６ｂ…扉側金具、２０…取付けブラケット、２１…下支承体、２３…支承体取付部、２８…第１ねじ、３０…取付けブラケット、３１…上支承体、３３…支承体取付部、３５…軸、３６…回転子、４１…第２ねじ、４４…スペーサ。
【図１】
0003735801.tif 000002
【図２】
0003735801.tif 000003
【図３】
0003735801.tif 000004
【図４】
0003735801.tif 000005
【図５】
0003735801.tif 000006
【図６】
0003735801.tif 000007